(57)【要約】【課題】緊急放送を受信可能なチューナーを搭載した装置（緊急放送対応受信装置）であって、緊急放送への対応に支障を生じさせることなく、大きな消費電力の抑制効果を得ることが可能な緊急放送対応受信装置を提供する。【解決手段】緊急放送を受信可能な緊急放送対応チューナー２０と、前記緊急放送対応チューナーへの電源供給を制御する制御部６０と、表示部７０とを備えた緊急放送対応受信装置１０であって、前記表示部は、前記緊急放送対応受信装置を前記緊急放送が受信できない状態にしてよいか否かを表示し、前記制御部は、前記緊急放送対応受信装置を前記緊急放送が受信できない状態にしてよい旨の信号が入力されたときには、前記緊急放送対応チューナーへの電源供給を停止することを特徴とする。【選択図】        図１
2006128903.tif 000002
【特許請求の範囲】
【請求項１】
緊急放送を受信可能な緊急放送対応チューナーと、
前記緊急放送対応チューナーへの電源供給を制御する制御部と、
表示部と
を備えた緊急放送対応受信装置であって、
前記表示部は、前記緊急放送対応受信装置を前記緊急放送が受信できない状態にしてよいか否かを表示し、
前記制御部は、前記緊急放送対応受信装置を前記緊急放送が受信できない状態にしてよい旨の信号が入力されたときには、前記緊急放送対応チューナーへの電源供給を停止する
ことを特徴とする緊急放送対応受信装置。
【請求項２】
緊急放送を受信可能な緊急放送対応チューナーと、
前記緊急放送対応チューナーへの電源供給を制御する制御部と、
表示部と
を備えた緊急放送対応受信装置であって、
前記制御部は、前記緊急放送対応受信装置を前記緊急放送が受信できない状態にしてよい旨の信号が入力されたときには、前記緊急放送対応チューナーへの電源供給を停止し、
前記表示部は、前記緊急放送対応チューナーへの電源供給が停止されたときには、前記緊急放送対応受信装置が前記緊急放送を受信できない状態である旨を表示する
ことを特徴とする緊急放送対応受信装置。
【請求項３】
緊急放送を受信可能な緊急放送対応チューナーと、
前記緊急放送対応チューナーへの電源供給を制御する制御部と、
外部機器と通信する通信部と
を備えた緊急放送対応受信装置であって、
前記制御部は、前記通信部による前記外部機器との通信の結果、前記緊急放送が受信できる状態にある前記外部機器があることが検出された場合であって、前記緊急放送対応受信装置を前記緊急放送が受信できない状態にしてよい旨の信号が入力されたときには、前記緊急放送対応チューナーへの電源供給を停止する
ことを特徴とする緊急放送対応受信装置。
【請求項４】
請求項３記載の緊急放送対応受信装置において、
更に、
表示部を備え、
前記表示部は、前記通信部による前記外部機器との通信の結果、前記緊急放送が受信できる状態にある前記外部機器があることが検出された場合には、前記緊急放送対応受信装置を前記緊急放送が受信できない状態にしてよいか否かを表示する
ことを特徴とする緊急放送対応受信装置。
【請求項５】
請求項３記載の緊急放送対応受信装置において、
更に、
表示部を備え、
前記表示部は、前記緊急放送対応チューナーへの電源供給が停止されたときには、前記緊急放送対応受信装置が前記緊急放送を受信できない状態である旨を表示する
ことを特徴とする緊急放送対応受信装置。
【請求項６】
緊急放送を受信可能な緊急放送対応チューナーと、
外部機器と通信する通信部と、
制御部と
を備えた緊急放送対応受信装置であって、
前記制御部は、前記通信部による前記外部機器との通信の結果、前記緊急放送が受信できる状態にある前記外部機器があることが検出された場合であって、前記外部機器を前記緊急放送が受信できない状態にしてよい旨の信号が入力されたときには、前記外部機器に対して、前記外部機器が有する緊急放送を受信可能な緊急放送対応チューナーへの電源供給を停止させるための信号を出力する
ことを特徴とする緊急放送対応受信装置。
【請求項７】
緊急放送を受信可能な緊急放送対応チューナーと、
外部機器と通信する通信部と、
表示部と
を備えた緊急放送対応受信装置であって、
前記表示部は、前記通信部による前記外部機器との通信の結果として検出される前記緊急放送が受信できる状態にある前記外部機器の台数を表示する
ことを特徴とする緊急放送対応受信装置。
【請求項８】
請求項７記載の緊急放送対応受信装置において、
前記表示部は、前記緊急放送が受信できる状態にある外部機器の台数と共に、又は前記台数に代えて、前記通信部による前記外部機器との通信の結果として検出される前記緊急放送が受信できる状態にある外部機器の種類を識別するための情報を表示する
ことを特徴とする緊急放送対応受信装置。
【請求項９】
緊急放送対応受信装置と、
前記緊急放送対応受信装置と通信可能な外部機器と
を備えた緊急放送対応受信システムであって、
前記緊急放送対応受信装置及び前記外部機器のそれぞれは、
緊急放送を受信可能な緊急放送対応チューナーを有し、
前記緊急放送対応受信装置は、更に、
前記緊急放送対応チューナーへの電源供給を制御する制御部と、
前記外部機器と通信可能な通信部とを有し、
前記制御部は、前記外部機器との通信の結果、前記緊急放送が受信できる状態にある前記外部機器があることが検出された場合であって、前記緊急放送対応受信装置を前記緊急放送が受信できない状態にしてよい旨の信号が入力されたときには、前記緊急放送対応チューナーへの電源供給を停止する
ことを特徴とする緊急放送対応受信システム。
【請求項１０】
緊急放送対応受信装置と、
前記緊急放送対応受信装置と通信可能な外部機器と
を備えた緊急放送対応受信システムであって、
前記緊急放送対応受信装置及び前記外部機器のそれぞれは、
緊急放送を受信可能な緊急放送対応チューナーを有し、
前記緊急放送対応受信装置は、更に、
表示部と、
前記外部機器と通信可能な通信部とを有し、
前記表示部は、前記外部機器との通信の結果として検出される前記緊急放送が受信できる状態にある前記外部機器の台数を表示する
ことを特徴とする緊急放送対応受信システム。
【請求項１１】
請求項１０記載の緊急放送対応受信システムにおいて、
前記表示部は、前記緊急放送が受信できる状態にある外部機器の台数と共に、又は前記台数に代えて、前記通信部による前記外部機器との通信の結果として検出される前記緊急放送が受信できる状態にある外部機器の種類を識別するための情報を表示する
ことを特徴とする緊急放送対応受信システム。
【請求項１２】
緊急放送を受信可能な緊急放送対応チューナーを有する緊急放送対応受信装置を前記緊急放送が受信できない状態にしてよいか否かを表示するステップと、
前記緊急放送対応受信装置を前記緊急放送が受信できない状態にしてよい旨の信号を受信するステップと、
前記信号を受信したときに、前記緊急放送対応チューナーへの電源供給を停止するステップと
を備えたことを特徴とする緊急放送対応受信装置の制御方法。
【請求項１３】
緊急放送を受信可能な緊急放送対応チューナーを有する緊急放送対応受信装置を前記緊急放送が受信できない状態にしてよいか否かを表示するステップと、
前記緊急放送対応受信装置を前記緊急放送が受信できない状態にしてよい旨の信号を受信するステップと、
前記信号を受信したときに、前記緊急放送対応チューナーへの電源供給を停止するステップと
をコンピュータに実行させるためのプログラム。
【発明の詳細な説明】
【技術分野】
【０００１】
本発明は、緊急放送対応受信装置、緊急放送対応受信システム、緊急放送対応受信方法及びプログラムに関し、特に、緊急放送への対応に支障を生じさせることなく、大きな消費電力の抑制効果を得ることが可能な緊急放送対応受信装置、緊急放送対応受信システム、緊急放送対応受信装置の制御方法及びプログラムに関する。
【背景技術】
【０００２】
例えば津波発生などの緊急情報を報知する緊急放送が実施される場合には、受信機側は、その緊急放送に対応すべく、緊急放送がいつでも受信できるようになっている必要がある。そのため、受信機（チューナー）では、緊急放送を常に監視するため、緊急放送を受信しないときでも常に電源がＯＮにされている必要がある。
【０００３】
デジタル放送を受信する装置において、待機電力を極力削減することができるデジタル放送受信装置として、特開２００２−２９０８５８号公報（特許文献１）に記載された技術が知られている。同公報には、緊急警報放送の番組を含むサービス（番組）が多重されたトランスポートストリームを受信する第１伝送路受信部と、緊急警報放送が送信される旨を知らせる緊急警報信号を受信する第２伝送路受信部とを少なくとも有し、番組非視聴時には前記第２伝送路受信部以外の供給電力を停止し、前記第２伝送路受信部が前記緊急警報信号を受信した場合には、他の構成要素にも電力を供給し送信される緊急警報放送を受信することが記載されている。
【０００４】
【特許文献１】特開２００２−２９０８５８号公報
【発明の開示】
【発明が解決しようとする課題】
【０００５】
上記のように、受信機は、緊急放送を常に監視すべく、緊急放送を受信しないときでも常に電源がＯＮにされている必要があった。そのため、従来は、緊急放送の受信に関係の無いブロックの電源をＯＦＦにすることで、消費電力を抑制するに過ぎず、緊急放送の受信に必要なチューナーの電源をＯＦＦにするものではなかった。緊急放送の受信に必要なチューナーの消費電力は、もともと大きいことから、チューナーの電源が常時ＯＮとされていると、消費電力の抑制効果は小さい。
【０００６】
緊急放送への対応に支障を生じさせることなく、消費電力の抑制効果が大きいことが望まれている。
【０００７】
本発明の目的の一つは、緊急放送を受信可能なチューナーを搭載した装置（緊急放送対応受信装置）であって、緊急放送への対応に支障を生じさせることなく、大きな消費電力の抑制効果を得ることが可能な緊急放送対応受信装置、緊急放送対応受信システム、緊急放送対応受信装置の制御方法及びプログラムを提供することである。
【課題を解決するための手段】
【０００８】
請求項１に記載の発明は、緊急放送を受信可能な緊急放送対応チューナーと、前記緊急放送対応チューナーへの電源供給を制御する制御部と、表示部とを備えた緊急放送対応受信装置であって、前記表示部は、前記緊急放送対応受信装置を前記緊急放送が受信できない状態にしてよいか否かを表示し、前記制御部は、前記緊急放送対応受信装置を前記緊急放送が受信できない状態にしてよい旨の信号が入力されたときには、前記緊急放送対応チューナーへの電源供給を停止することを特徴とする。
【０００９】
請求項２に記載の発明は、緊急放送を受信可能な緊急放送対応チューナーと、前記緊急放送対応チューナーへの電源供給を制御する制御部と、表示部とを備えた緊急放送対応受信装置であって、前記制御部は、前記緊急放送対応受信装置を前記緊急放送が受信できない状態にしてよい旨の信号が入力されたときには、前記緊急放送対応チューナーへの電源供給を停止し、前記表示部は、前記緊急放送対応チューナーへの電源供給が停止されたときには、前記緊急放送対応受信装置が前記緊急放送を受信できない状態である旨を表示することを特徴とする。
【００１０】
請求項３に記載の発明は、緊急放送を受信可能な緊急放送対応チューナーと、前記緊急放送対応チューナーへの電源供給を制御する制御部と、外部機器と通信する通信部とを備えた緊急放送対応受信装置であって、前記制御部は、前記通信部による前記外部機器との通信の結果、前記緊急放送が受信できる状態にある前記外部機器があることが検出された場合であって、前記緊急放送対応受信装置を前記緊急放送が受信できない状態にしてよい旨の信号が入力されたときには、前記緊急放送対応チューナーへの電源供給を停止することを特徴とする。
【００１１】
請求項６に記載の発明は、緊急放送を受信可能な緊急放送対応チューナーと、外部機器と通信する通信部と制御部とを備えた緊急放送対応受信装置であって、前記制御部は、前記通信部による前記外部機器との通信の結果、前記緊急放送が受信できる状態にある前記外部機器があることが検出された場合であって、前記外部機器を前記緊急放送が受信できない状態にしてよい旨の信号が入力されたときには、前記外部機器に対して、前記外部機器が有する緊急放送を受信可能な緊急放送対応チューナーへの電源供給を停止させるための信号を出力することを特徴とする。
【００１２】
請求項７に記載の発明は、緊急放送を受信可能な緊急放送対応チューナーと、外部機器と通信する通信部と、表示部とを備えた緊急放送対応受信装置であって、前記表示部は、前記通信部による前記外部機器との通信の結果として検出される前記緊急放送が受信できる状態にある前記外部機器の台数を表示することを特徴とする。
【００１３】
請求項９に記載の発明は、緊急放送対応受信装置と、前記緊急放送対応受信装置と通信可能な外部機器とを備えた緊急放送対応受信システムであって、前記緊急放送対応受信装置及び前記外部機器のそれぞれは、緊急放送を受信可能な緊急放送対応チューナーを有し、前記緊急放送対応受信装置は、更に、前記緊急放送対応チューナーへの電源供給を制御する制御部と、前記外部機器と通信可能な通信部とを有し、前記制御部は、前記外部機器との通信の結果、前記緊急放送が受信できる状態にある前記外部機器があることが検出された場合であって、前記緊急放送対応受信装置を前記緊急放送が受信できない状態にしてよい旨の信号が入力されたときには、前記緊急放送対応チューナーへの電源供給を停止することを特徴とする。
【００１４】
請求項１０に記載の発明は、緊急放送対応受信装置と、前記緊急放送対応受信装置と通信可能な外部機器とを備えた緊急放送対応受信システムであって、前記緊急放送対応受信装置及び前記外部機器のそれぞれは、緊急放送を受信可能な緊急放送対応チューナーを有し、前記緊急放送対応受信装置は、更に、表示部と、前記外部機器と通信可能な通信部とを有し、前記制御部は、前記外部機器との通信の結果として検出される前記緊急放送が受信できる状態にある前記外部機器の台数を表示することを特徴とする。
【００１５】
請求項１２に記載の発明は、緊急放送を受信可能な緊急放送対応チューナーを有する緊急放送対応受信装置を前記緊急放送が受信できない状態にしてよいか否かを表示するステップと、前記緊急放送対応受信装置を前記緊急放送が受信できない状態にしてよい旨の信号を受信するステップと、前記信号を受信したときに、前記緊急放送対応チューナーへの電源供給を停止するステップとを備えたことを特徴とする。
【００１６】
請求項１３に記載の発明は、緊急放送を受信可能な緊急放送対応チューナーを有する緊急放送対応受信装置を前記緊急放送が受信できない状態にしてよいか否かを表示するステップと、前記緊急放送対応受信装置を前記緊急放送が受信できない状態にしてよい旨の信号を受信するステップと、前記信号を受信したときに、前記緊急放送対応チューナーへの電源供給を停止するステップとをコンピュータに実行させるためのプログラムである。
【発明を実施するための最良の形態】
【００１７】
以下、本発明の緊急放送対応受信装置の一実施形態につき図面を参照しつつ詳細に説明する。
【００１８】
（第１実施形態）
図１を参照して、本発明の緊急放送対応受信装置の第１実施形態について説明する。
本実施形態に係る緊急放送対応受信装置は、緊急放送への対応に支障を生じさせることなく、大きな消費電力の抑制効果が得られることを目的としている。
【００１９】
図１は、本実施形態の緊急放送対応受信装置の構成を示すブロック図である。図１に示すように、緊急放送対応受信装置１０は、デジタルチューナー２０と、デジタルチューナー用電源３０と、デコーダー４０と、他の回路用電源５０と、ＣＰＵ６０と、メモリ６５と、表示部７０と、操作部７５と、リモコン受光部８０と、他の機器とネットワークを構成するための端子又は通信手段９０とを備えている。
【００２０】
本実施形態において、緊急放送は、デジタル放送で送信されるとする。デジタルチューナー２０は、デジタル放送波として送信される緊急放送をアンテナ２１を介して受信することができる。デジタルチューナー用電源３０は、デジタルチューナー２０に対して電源を供給する。デコーダー４０は、映像処理回路及び音声処理回路を有し、デジタルチューナー２０により受信された信号をデコーダする。
【００２１】
デコーダー４０によりデコードされた信号は、緊急放送対応受信装置１０に接続されたＴＶ２００、又は光ディスクやＨＤＤなどの記録メディアに記録する装置３００に出力される。緊急放送対応受信装置１０において、緊急放送を受信した時には、例えばＴＶ２００をＯＮにさせて、その緊急放送の音声・映像等をＴＶ２００から出力させることができる。
【００２２】
他の回路用電源５０は、デコーダー４０をはじめ、緊急放送対応受信装置１０において、デジタルチューナー２０以外の回路に対して電源を供給する。メモリ６５には、図２の動作が記述されたプログラムや、緊急放送対応受信装置１０の全体を制御するための動作に関するプログラムが格納されている。
【００２３】
表示部７０は、ユーザに対して、各種の情報を表示する。操作部７５は、ユーザにより操作され、その操作により生成された信号をＣＰＵ６０に出力する。リモコン受光部８０は、他の機器１００との通信や、ユーザが所持するリモコン（図示せず）との通信に使用される。ネットワーク端子等９０は、他の機器１００とのネットワーク通信に使用される。緊急放送対応受信装置１０において、他の機器との通信は、有線ネットワーク、無線ネットワーク、又は赤外線通信等により実現される。
【００２４】
ＣＰＵ６０は、メモリ６５に格納されたプログラムを実行する。ＣＰＵ６０は、他の機器１００を含む外部の機器と、リモコン受光部８０又はネットワーク端子等９０を介して通信するとともに、操作部７５又はリモコン受光部８０を介してユーザからの信号を入力する。ＣＰＵ６０は、外部の機器から入力された信号又はユーザからの信号に基づいて、デジタルチューナー用電源３０及び他の回路用電源５０のそれぞれのＯＮ／ＯＦＦを制御したり、表示部７０に対する表示内容を制御する。
【００２５】
次に、図２を参照して、第１実施形態の動作について説明する。
なお、以下に説明するように、第１実施形態の緊急放送対応受信装置１０の動作では、他の機器１００との通信は行われない。
【００２６】
図２の制御フローの初期状態（制御フローが開始される前）においては、少なくともデジタルチューナー用電源３０がＯＮにされており、デジタルチューナー２０は緊急放送を受信可能な状態（緊急放送を監視している状態）とされている。
【００２７】
ここで、デジタルチューナー用電源３０がＯＮであり、他の回路用電源５０がＯＦＦである状態をスタンバイ状態という。スタンバイ状態においては、デジタルチューナー２０は緊急放送の有無を常に監視しており、緊急放送を受信したときには、デジタルチューナー２０がＣＰＵ６０に緊急放送受信通知信号を出力し、ＣＰＵ６０により他の回路用電源５０がＯＮにされ、デコーダー４０を含む緊急放送対応受信装置１０全体で緊急放送の受信・信号処理・出力のための動作が行われる。
【００２８】
[ステップＳ１]
ステップＳ１において、ＣＰＵ６０は、表示部７０において、“緊急放送対応受信装置１０を緊急放送が受信できないモードにしてよいか”と表示する。即ち、ＣＰＵ６０は、表示部７０への表示を通して、ユーザに対して、“緊急放送対応受信装置１０を緊急放送が受信できないモードに設定してよいかどうか”を質問するとともに、その質問に対する返答の入力を促す。ステップＳ１の次にステップＳ２に進む。
【００２９】
[ステップＳ２]
ステップＳ２において、ＣＰＵ６０は、操作部７５又はリモコン受光部８０を介して、ユーザから、上記ステップＳ１の質問に対する返答として、緊急放送が受信できないモードにしてもよいことを示す信号（受信不可モード設定許可信号）を受信したか否かを判定する。その判定の結果、受信不可モード設定許可信号を受信したと判定される場合には、ステップＳ３に進み、そうでない場合には本制御フローは終了する。
【００３０】
[ステップＳ３]
ステップＳ３において、ＣＰＵ６０は、デジタルチューナー用電源３０をＯＦＦにする。これにより、デジタルチューナー２０に電源が供給されなくなるため、消費電力が大きく抑制される。但し、緊急放送対応受信装置１０は、緊急放送を受信できない状態となる。このとき、緊急放送対応受信装置１０は、リモコン受光部８０を介して、ユーザによってリモコン（図示せず）を介して入力された信号を受信するために必要な最小限の電源（待機電力）のみが供給される超低消費電力モードに設定されることができる。または、緊急放送対応受信装置１０に対する電源供給が完全にＯＦＦにされてもよい。ステップＳ３の次に、ステップＳ４が行われる。
【００３１】
[ステップＳ４]
ステップＳ４において、ＣＰＵ６０は、表示部７０において、“緊急放送対応受信装置１０は緊急放送が受信できないモードであること”を表示する。重要な放送である緊急放送を緊急放送対応受信装置１０が受信できない状態であるということは、ユーザに確実に認識してもらう必要があるため、表示部７０において、その旨が明示される。ステップＳ４の次に、本制御フローは終了する。
【００３２】
本実施形態によれば、以下の効果が得られる。
【００３３】
本実施形態では、ステップＳ２において、ユーザが、例えば、“ユーザの近くには、緊急放送対応受信装置１０の他に、例えば、デジタルチューナー１２０を備えた他の機器１００ａが存在し、かつ、そのデジタルチューナー１２０がＯＮとされていることを認識しているため、その他の機器１００ａによって緊急放送を受信できる状況であることを確認済みである。そのため、緊急放送対応受信装置１０では緊急放送を受信できなくても問題ない”と判断した場合には、受信不可モード設定許可信号を緊急放送対応受信装置１０に入力することが可能である。
【００３４】
即ち、上記の状況下で、ユーザが、緊急放送対応受信装置１０でも（他の機器１００ａと緊急放送対応受信装置１０の複数台の機器で）、緊急放送に対応させておくのは、消費電力の点で無駄であると判断した場合には、ユーザの判断・責任により、受信不可モード設定許可信号を緊急放送対応受信装置１０に入力し、デジタルチューナー２０の電源供給を停止させて、緊急放送対応受信装置１０の消費電力を大幅に抑制することができる。
【００３５】
同様に、例えば、ユーザが、“緊急時には町内放送で緊急情報を入手できるため、緊急放送対応受信装置１０では緊急放送を受信できなくても問題ない。”と判断した場合には、ステップＳ２において、受信不可モード設定許可信号を緊急放送対応受信装置１０に入力し、緊急放送対応受信装置１０の消費電力を大幅に抑制することが可能である。
【００３６】
このユーザによるステップＳ２の信号入力は、予め緊急放送対応受信装置１０の初期設定又はハードウェア設定等として行われることができ、その場合、緊急放送対応受信装置１０を、緊急放送に対応するための電源が停止した状態（超低消費電力モード）に設定することができる。
【００３７】
このように、ユーザが、緊急放送対応受信装置１０が緊急放送に対応していなくても問題がないと判断したとき（ステップＳ２−Ｙ）には、緊急放送対応受信装置１０において緊急放送に対応するための電源を停止できる（ステップＳ３）こととしたため、消費電力の抑制効果が大きい。
【００３８】
（第２実施形態）
次に、図１及び図３を参照して、第２実施形態の動作について説明する。
本実施形態において、上記第１実施形態と同様の内容についてはその説明を省略する。
【００３９】
緊急放送対応受信装置１０の他に緊急放送を受信できる機器が存在する場合には、その機器及び緊急放送対応受信装置１０を含めて、１つのデジタルチューナーが機能していれば、緊急放送の受信に際して支障が無い。不要な消費電力を抑え、かつ確実に緊急放送を受信できるようにするために、以下のような処理を行う。
【００４０】
本実施形態において、緊急放送対応受信装置１０は、緊急放送対応受信装置１０以外の他の機器１００と通信し、その通信結果に基づいて、緊急放送対応受信装置１０以外の他の機器１００が緊急放送を受信可能な状態にあることを緊急放送対応受信装置１０が認識すると、緊急放送対応受信装置１０は、上記第１実施形態と同様に、ユーザに対して、“緊急放送対応受信装置１０を緊急放送が受信できないモードに設定してよいかどうか”を質問するとともに、その質問に対する返答の入力を促す。
【００４１】
以下に、図３を参照して、本実施形態の動作について、詳細に説明する。
なお、図１において、上述したように、他の機器１００ａ、１００ｂは、それぞれデジタルチューナー１２０を備えている。
【００４２】
[ステップＳ１]
ステップＳ１において、ＣＰＵ６０は、リモコン受光部８０又はネットワーク端子等９０を介して、他の機器（他の機器１００ａ、１００ｂを含む）と通信して、緊急放送対応受信装置１０以外に、デジタルチューナーを搭載した機器があるか否かを判定する。ステップＳ１の判定の結果、デジタルチューナーを搭載した機器が緊急放送対応受信装置１０以外にあると判定（検出）されれば、ステップＳ２に進み、そうでない場合には、本制御フローは終了する。図１の例では、ステップＳ１の判定の結果、デジタルチューナー１２０を備えた機器１００ａ、１００ｂがあると判定され、ステップＳ２が行われる。
【００４３】
[ステップＳ２]
ステップＳ２において、ＣＰＵ６０は、上記ステップＳ１で検出されたデジタルチューナーを搭載した他の機器１００ａ、１００ｂと通信を行い、その通信結果に基づいて、上記ステップＳ１で検出されたデジタルチューナーを搭載した他の機器１００ａ、１００ｂが緊急放送を受信可能な状態にあるか否かを判定する。その判定の結果、デジタルチューナーを搭載した他の機器１００ａ、１００ｂが緊急放送を受信可能な状態であると判定されれば、ステップＳ３に進む。
【００４４】
一方、ステップＳ２の判定の結果、デジタルチューナーを搭載した他の機器１００ａ、１００ｂが緊急放送を受信可能な状態であると判定されない場合には、本制御フローは終了する。即ち、緊急放送を受信可能な状態にある機器が緊急放送対応受信装置１０の他には、無い場合（ステップＳ２−Ｎ）には、緊急放送を受信できる状態を確保しておく必要があるため、緊急放送対応受信装置１０のデジタルチューナー用電源３０をＯＦＦにするための動作（ステップＳ３以降）には進まない。
【００４５】
ここで、図４を参照して、上記ステップＳ２の具体的な判定方法について説明する。
【００４６】
[ステップＳＡ１]
まず、ステップＳＡ１では、ＣＰＵ６０は、上記ステップＳ１で検出されたデジタルチューナーを搭載した他の機器１００ａ、１００ｂとの通信によって、その機器１００ａ、１００ｂがスタンバイモードであるか否かを判定する。ここで、スタンバイモードとは、上述したように、他の機器１００ａ、１００ｂにおいて、デジタルチューナー１２０用の電源がＯＮであり、デジタルチューナー１２０以外の回路（図示せず）用の電源がＯＦＦであり、デジタルチューナー１２０が緊急放送を常に監視し、緊急放送を受信したときには、上記デジタルチューナー１２０以外の回路の電源がＯＮにされ、他の機器１００ａ、１００ｂ全体で緊急放送の受信・信号処理・出力のための動作が行われるモードをいう。
【００４７】
ステップＳＡ１の判定の結果、上記他の機器１００ａ、１００ｂがスタンバイモードであると判定された場合（ステップＳＡ１−Ｙ）には、図３の上記ステップＳ２において、デジタルチューナーを搭載した他の機器１００ａ、１００ｂが緊急放送を受信可能な状態であると判定される（ステップＳ２−Ｙ）。一方、ステップＳＡ１の判定の結果、上記他の機器１００ａ、１００ｂがスタンバイモードであると判定されない場合（ステップＳＡ１−Ｎ）には、ステップＳＡ２に進む。
【００４８】
ここで、上記ステップＳＡ１において、他の機器１００ａ、１００ｂがスタンバイモードであると判定されない場合（ステップＳＡ１−Ｎ）には、以下の二つのケースが含まれる。
（１）デジタルチューナー１２０用の電源のみならずデジタルチューナー１２０以外の回路（図示せず）の電源が全てＯＮである場合。即ち、例えば他の機器１００ａ、１００ｂがアナログチューナー（図示せず）を備えている場合には、そのアナログチューナーの電源もＯＮである場合である。
（２）デジタルチューナー１２０用の電源がＯＦＦである場合。例えば、他の機器１００ａ、１００ｂが、そのリモコンを含めた外部機器との通信が可能な程度の待機電力しか供給されていない場合である。その場合の他の機器１００ａ、１００ｂには、後述するステップＳ５のように超低消費電力モードに設定されている場合が含まれる。
【００４９】
[ステップＳＡ２]
ステップＳＡ２において、ＣＰＵ６０は、上記ステップＳ１で検出された他の機器１００ａ、１００ｂとの通信によって、その他の機器１００ａ、１００ｂがデジタルチューナー１２０の使用モードであるか否かを判定する。ステップＳＡ２の判定の結果、その他の機器１００ａ、１００ｂが、デジタルチューナー１２０の使用モードであると判定された場合（ステップＳＡ２−Ｙ）には、図３の上記ステップＳ２において、他の機器１００ａ、１００ｂが緊急放送を受信可能な状態であると判定され（ステップＳ２−Ｙ）、そうでない場合（ステップＳＡ２−Ｎ）には、緊急放送を受信不可能な状態であると判定される（ステップＳ２−Ｎ）。
【００５０】
ここで、デジタルチューナー１２０の使用モードとは、デジタルチューナー１２０が現在使用可能な状態を示すモードである。即ち、ステップＳＡ２が行われる直前の上記ステップＳＡ１において、他の機器１００ａ、１００ｂがスタンバイモードであると判定されない場合（ステップＳＡ１−Ｎ）の上記（１）のケースにおいて、例えば、アナログチューナーのみが使用可能なモードであるときには、ステップＳＡ２は、否定的に判断される。アナログチューナーのみが使用可能なモードであるときのように、デジタルチューナー１２０が使用可能なモードではないときには、緊急放送（デジタル放送で送信される）が送信されても、それを受信できないためである。また、上記（２）のケースでは、デジタルチューナー１２０に電源が供給されていないため、ステップＳＡ２は、否定的に判定される。
【００５１】
[ステップＳ３]
ステップＳ３は、上記第１実施形態の図２のステップＳ１と同様であり、ＣＰＵ６０は、表示部７０において、“緊急放送対応受信装置１０を緊急放送が受信できないモードにしてよいか”と表示する。即ち、ＣＰＵ６０は、表示部７０への表示を通して、ユーザに対して、“緊急放送対応受信装置１０を緊急放送が受信できないモードに設定してよいかどうか”を質問するとともに、その質問に対する返答の入力を促す。ステップＳ３の次にステップＳ４に進む。
【００５２】
[ステップＳ４]
ステップＳ４は、上記第１実施形態の図２のステップＳ２と同様であり、ＣＰＵ６０は、操作部７５又はリモコン受光部８０を介して、ユーザから、上記ステップＳ３の質問に対する返答として、受信不可モード設定許可信号を受信したか否かを判定する。その判定の結果、受信不可モード設定許可信号を受信したと判定される場合には、ステップＳ５に進み、そうでない場合には本制御フローは終了する。
【００５３】
[ステップＳ５]
ステップＳ５は、上記第１実施形態の図２のステップＳ３と同様であり、ＣＰＵ６０は、デジタルチューナー用電源３０をＯＦＦにする。これにより、デジタルチューナー２０に電源が供給されなくなるため、消費電力が大きく抑制される。但し、緊急放送対応受信装置１０は、緊急放送を受信できない状態となる。このとき、緊急放送対応受信装置１０は、リモコン受光部８０を介して、ユーザによってリモコン（図示せず）を介して入力された信号を受信するために必要な最小限の電源（待機電力）のみが供給される超低消費電力モードに設定されることができる。または、緊急放送対応受信装置１０に対する電源供給が完全にＯＦＦにされてもよい。ステップＳ５の次に、ステップＳ６が行われる。
【００５４】
[ステップＳ６]
ステップＳ６は、上記第１実施形態の図２のステップＳ４と同様であり、ＣＰＵ６０は、表示部７０において、“緊急放送対応受信装置１０は緊急放送が受信できないモードであること”を表示する。緊急放送対応受信装置１０が緊急放送を受信できない状態であるということは、ユーザに確実に認識してもらう必要があるため、表示部７０において、その旨が明示される。ステップＳ６の次に、本制御フローは終了する。
【００５５】
本実施形態によれば、緊急放送対応受信装置１０が他の機器と通信を行って、緊急放送を受信可能な機器を検出した場合のみ（ステップＳ２−Ｙ）に、ユーザに対して、“緊急放送対応受信装置１０を緊急放送を受信できないモードにしてよいか”を問いかけ（ステップＳ３）、それに対してユーザが緊急放送対応受信装置１０を緊急放送を受信できないモードにしてもよいと判断したときに（ステップＳ４−Ｙ）、緊急放送対応受信装置１０のデジタルチューナー用電源３０をＯＦＦにする（ステップＳ５）。
【００５６】
このように、ユーザは、緊急放送対応受信装置１０側において、緊急放送対応受信装置１０以外の機器で緊急放送を受信可能であることが確認された上で、緊急放送対応受信装置１０において緊急放送に対応するための電源を停止するか否かの判断ができる。これにより、緊急放送への対応に支障を生じさせること無く、大きな消費電力の抑制効果が得られる。
【００５７】
（第２実施形態の第１変形例）
次に、上記第２実施形態の第１変形例について説明する。
【００５８】
上記第２実施形態では、図３において、ステップＳ１で否定的に判断された場合（ステップＳ１−Ｎ）、又はステップＳ２で否定的に判断された場合（ステップＳ２−Ｎ）には、図３のフローは終了するとして説明した。
【００５９】
本変形例では、これに代えて、ステップＳ１で否定的に判断された場合、又はステップＳ２で否定的に判断された場合には、次に述べる追加ステップが行われる。即ち、その追加ステップでは、ＣＰＵ６０は、表示部７０において、“緊急放送を受信可能な他の機器はないが、緊急放送対応受信装置１０を緊急放送が受信できないモードにしてよいか”と表示する。その追加ステップの直後には、図３のステップＳ４が行われる流れにする。
【００６０】
ステップＳ１で否定的に判断された場合、又はステップＳ２で否定的に判断された場合には、緊急放送対応受信装置１０の他に、緊急放送を受信可能な機器はないということになるが、その旨をユーザに明示した上で、緊急放送対応受信装置１０を緊急放送が受信できないモードにしてよいかをユーザの判断に委ねることとする。上記第１実施形態と同様に、ユーザは、例えば町内放送で緊急情報が得られる場合などのケースでは、ユーザの責任において、緊急放送対応受信装置１０が緊急放送に対応するための電源を停止させることができる。
【００６１】
（第２実施形態の第２変形例）
次に、上記第２実施形態の第２変形例について説明する。
【００６２】
上記第２実施形態では、図３において、ステップＳ２で肯定的に判断された場合（ステップＳ２−Ｙ）には、緊急放送対応受信装置１０自身のデジタルチューナー用電源３０を停止させるための動作が行われる（ステップＳ３〜ステップＳ６）として説明した。
【００６３】
本変形例では、これに代えて、ステップＳ２で肯定的に判断された場合には、上記ステップＳ３〜ステップＳ６に代えて、以下の動作が行われる。即ち、まず、緊急放送対応受信装置１０の表示部７０において、“上記ステップＳ２で緊急放送を受信可能と判定された他の機器を緊急放送が受信できないモードにしてよいか”が表示される。次いで、その表示の後、ユーザから緊急放送対応受信装置１０に対して、“上記ステップＳ２で緊急放送を受信可能と判定された他の機器を緊急放送が受信できないモードにしてよい”旨を示す信号が入力されると、緊急放送対応受信装置１０からその上記他の機器に対して、デジタルチューナー用電源をＯＦＦにするための信号が送信され、その信号を受信した上記その他の機器のデジタルチューナー用電源の電源がＯＦＦにされる。その場合には、上記その他の機器の表示部において、“緊急放送が受信できないモードであること”が表示される。
【００６４】
（第３実施形態）
次に、図５を参照して、第３実施形態について説明する。
第３実施形態において、上記実施形態と同様の内容については、その説明を省略する。
【００６５】
第３実施形態において、緊急放送対応受信装置１０は、他の機器と通信を行い、その通信結果に基づいて、緊急放送対応受信装置１０以外に緊急放送を受信できる状態の機器が何台あるかを調べて、ユーザに知らせる。即ち、緊急放送対応受信装置１０は、緊急放送に対応するための電源を停止させることができる機器の台数を表示する。
【００６６】
これにより、ユーザは、緊急放送への対応に支障が生じることなく、緊急放送に対応するための電源を停止させることができる機器の台数を知ることができる。このことから、ユーザは、その台数の機器について、緊急放送に対応するための電源を停止させることが可能となり、消費電力を大幅に削減することが可能となる。
【００６７】
以下に、図５及び図１を参照して、第３実施形態の動作について説明する。
図５のフローチャートは、緊急放送対応受信装置１０が、緊急放送を受信できる状態である場合に、緊急放送を受信できる状態の他の機器の台数を表示する動作を示している。
【００６８】
[ステップＳ１]
ステップＳ１において、緊急放送対応受信装置１０のＣＰＵ６０は、緊急放送に対応するための電源を停止させることができる機器の台数を示す変数Ｍを０に設定する。ステップＳ１の次に、ステップＳ２に進む。
【００６９】
[ステップＳ２]
ステップＳ２では、上記第２実施形態の図３のステップＳ１と同様に、ＣＰＵ６０は、他の機器（他の機器１００ａ、１００ｂを含む）と通信して、緊急放送対応受信装置１０以外に、デジタルチューナーを搭載した機器があるか否かを判定する。ステップＳ２の判定の結果、デジタルチューナーを搭載した機器が緊急放送対応受信装置１０以外にあると判定（検出）されれば、ステップＳ３に進み、そうでない場合には、ステップＳ９に進む。
【００７０】
図１の例では、ステップＳ２の判定の結果、デジタルチューナー１２０を備えた機器１００ａ、１００ｂがあると判定され、ステップＳ３が行われる。これとは反対に、ステップＳ２において、緊急放送対応受信装置１０以外に、デジタルチューナーを搭載した機器がないと判定された場合には、ステップＳ９に進み、表示部７０において、“消費電力を削減できる機器（デジタルチューナー用電源を停止できる機器）が０（＝Ｍ）台ある”と表示される。
【００７１】
[ステップＳ３]
ステップＳ３では、上記第２実施形態の図４のステップＳＡ１と同様に、ＣＰＵ６０は、上記ステップＳ２で検出された他の機器１００ａ又は１００ｂとの通信によって、その他の機器１００ａ又は１００ｂがスタンバイモードであるか否かを判定する。ステップＳ３の判定の結果、その他の機器１００ａ又は１００ｂがスタンバイモードであると判定された場合（ステップＳ３−Ｙ）には、ステップＳ５に進み、そうでないと判定された場合には、ステップＳ４に進む。
【００７２】
[ステップＳ４]
ステップＳ４では、上記第２実施形態の図４のステップＳＡ２と同様に、ＣＰＵ６０は、上記ステップＳ２で検出された他の機器１００ａ又は１００ｂとの通信によって、その他の機器１００ａ又は１００ｂがデジタルチューナー１２０の使用モードであるか否かを判定する。ステップＳ４の判定の結果、その他の機器１００ａ又は１００ｂが、デジタルチューナー１２０の使用モードであると判定された場合（ステップＳ４−Ｙ）には、ステップＳ５に進み、そうでない場合には、ステップＳ６に進む。
【００７３】
[ステップＳ５]
ステップＳ５において、ＣＰＵ６０は、上記変数Ｍに１を加算する。デジタルチューナーを搭載した他の機器１００ａ又は１００ｂがスタンバイモードである場合（ステップＳ３−Ｙ）、又は、デジタルチューナー使用モードである場合（ステップＳ４−Ｙ）には、その他の機器１００ａ又は１００ｂは、緊急放送を受信できる状態にあるため、緊急放送対応受信装置１０以外に、緊急放送を受信できる状態にある機器の台数を示すＭには、１が加算される（ここでは加算の結果Ｍ＝１とされる）。ステップＳ５の次に、ステップＳ６が行われる。
【００７４】
[ステップＳ６]
ステップＳ６において、ＣＰＵ６０は、既に通信した機器以外の他の機器（他の機器１００ａ、１００ｂを含む）と通信して、緊急放送対応受信装置１０及び既に検出されたデジタルチューナーを搭載した他の機器１００ａ又は１００ｂ以外に、デジタルチューナーを搭載した機器があるか否かを判定する。ステップＳ６の判定の結果、デジタルチューナーを搭載した機器が、緊急放送対応受信装置１０及び既に検出されたデジタルチューナーを搭載した他の機器１００ａ又は１００ｂ以外にあると判定（検出）されれば、ステップＳ７に進み、そうでない場合には、ステップＳ９に進む。
【００７５】
ここでは、ステップＳ６において、緊急放送対応受信装置１０及び既に検出されたデジタルチューナーを搭載した他の機器１００ａ又は１００ｂ以外に、デジタルチューナーを搭載した機器がないと判定された場合（ステップＳ６−Ｎ）には、表示部７０において、“消費電力を削減できる機器（デジタルチューナー用電源を停止できる機器）が１（＝Ｍ）台ある”と表示される（ステップＳ９）。
【００７６】
[ステップＳ７]
ステップＳ７において、ＣＰＵ６０は、上記ステップＳ６で検出されたデジタルチューナーを搭載した他の機器１００ａ又は１００ｂとの通信によって、その他の機器１００ａ又は１００ｂがスタンバイモードであるか否かを判定する。ステップＳ７の判定の結果、その他の機器１００ａ又は１００ｂがスタンバイモードであると判定された場合（ステップＳ７−Ｙ）には、ステップＳ５に進み、そうでないと判定された場合には、ステップＳ８に進む。ここで、ステップＳ５に進んだ場合には、加算の結果、Ｍ＝２となる。
【００７７】
[ステップＳ８]
ステップＳ８では、ＣＰＵ６０は、上記ステップＳ６で検出された他の機器１００ａ又は１００ｂとの通信によって、その他の機器１００ａ又は１００ｂがデジタルチューナー１２０の使用モードであるか否かを判定する。ステップＳ８の判定の結果、その他の機器１００ａ又は１００ｂが、デジタルチューナー１２０の使用モードであると判定された場合（ステップＳ８−Ｙ）には、ステップＳ５に進み、そうでない場合には、ステップＳ６に進む。ここで、ステップＳ５に進んだ場合には、加算の結果、Ｍ＝２となる。
【００７８】
上記ステップＳ８で否定的に判定され、ステップＳ６に進む場合には、ステップＳ６において否定的に判定されるまで、上記のステップＳ６〜ステップＳ８が繰り返され、ステップＳ６において否定的に判定された場合（他に、デジタルチューナーを搭載した機器が無い場合）に、ステップＳ９に進み、表示部７０において、消費電力を削減できる機器がＭ台あると表示される。
【００７９】
本実施形態によれば、緊急放送対応受信装置１０が他の機器との通信により、デジタルチューナー用電源を停止できる機器の台数を検出し、表示するため、ユーザは、緊急放送に支障を生じさせることなく、デジタルチューナー用電源を停止できる機器の台数を知ることができる。これにより、ユーザは、その表示された台数の機器のデジタルチューナー用電源を停止するという判断を行うことが可能となり、消費電力の大幅な削減に結びつけることができる。この場合、その表示された台数の範囲内であれば、緊急放送対応受信装置１０自身のデジタルチューナー用電源を停止させても、緊急放送に支障が生じることは無い。
【００８０】
（第３実施形態の変形例）
次に、上記第３実施形態の変形例について説明する。
【００８１】
本変形例では、ステップＳ９の次に、以下の追加ステップが行われる。即ち、まず、緊急放送対応受信装置１０の表示部７０において、消費電力を削減できるＭ台分のそれぞれの識別記号が表示される。次いで、その表示を見たユーザによって、上記Ｍ台の機器のうちデジタルチューナー用電源を停止させるべき機器が判断されると、ユーザから緊急放送対応受信装置１０に対して、“上記Ｍ台の機器のうちデジタルチューナー用電源を停止させるべきとユーザが判断した機器”を示す信号が入力される。
【００８２】
すると、緊急放送対応受信装置１０からその上記判断された機器に対して、それぞれ、デジタルチューナー用電源をＯＦＦにするための信号が送信され、その信号を受信した上記判断された機器では、そのデジタルチューナー用電源の電源がＯＦＦにされる。その場合には、上記判断された機器の表示部において、“緊急放送が受信できないモードであること”が表示されるとともに、緊急放送対応受信装置１０の表示部７０において、消費電力を削減できる機器の新たな台数（上記Ｍから上記判断された機器の台数が減算された数値）が表示される。
【００８３】
（第４実施形態）
次に、図６を参照して、第４実施形態について説明する。
第４実施形態において、上記実施形態と同様の内容については、その説明を省略する。
【００８４】
第４実施形態は、上記第３実施形態と共通部分が多いため、その共通部分についての説明は省略しつつ、上記第３実施形態との相違点を中心に説明する。
【００８５】
外部機器がＩＥＥＥ１３９４機器の場合、ネットワーク経由で接続されている機器のメーカ名、製品型番等がモニタ可能となる。このため、ユーザに緊急放送を受信できる機器が存在することをアナウンスする情報として、上記メーカ名、製品型番等の情報を表示することで、機器を特定し易くすることができるので、有効な手段となる。
【００８６】
[ステップＳ２]
第４実施形態において、緊急放送対応受信装置１０及び他の機器（他の機器１００ａ、１００ｂを含む）がＩＥＥＥ１３９４機器である場合には、ステップＳ２において、緊急放送対応受信装置１０と他の機器が通信した結果、緊急放送対応受信装置１０は、当該他の機器のメーカ名や製品型番等の情報を得ることができる。
【００８７】
[ステップＳ５]
そして、ＣＰＵ６０は、ステップＳ５において、デジタルチューナーを搭載した他の機器１００ａ又は１００ｂがスタンバイモードである場合（ステップＳ３−Ｙ）、又は、デジタルチューナー使用モードである場合（ステップＳ４−Ｙ）には、その他の機器１００ａ又は１００ｂは、緊急放送を受信できる状態にあるため、上記Ｍに１を加算するとともに、その他の機器１００ａ又は１００ｂの機器情報（機器のメーカ名や製品型番等の機器の種類を識別するための情報）を緊急放送対応受信装置１０のデータベース（図示せず）に登録する。
【００８８】
[ステップＳ９]
ステップＳ９では、表示部７０において、消費電力を削減できる機器がＭ台あると表示されると共に、そのＭ台についての上記機器情報が表示される。
【００８９】
本実施形態によれば、緊急放送対応受信装置１０が他の機器との通信により、デジタルチューナー用電源を停止できる機器の台数を検出すると共に、その機器の上記機器情報を入手し、表示するため、ユーザは、緊急放送に支障を生じさせることなく、デジタルチューナー用電源を停止できる機器の台数及びその機器のメーカ名、製品型番等の情報を知ることができる。これにより、ユーザは、その表示された台数の機器について、機器の特定を容易に行った上で、デジタルチューナー用電源を停止するという判断を行うことが可能となり、消費電力の大幅な削減に結びつけることができる。この場合、その表示された台数の範囲内であれば、緊急放送対応受信装置１０自身のデジタルチューナー用電源を停止させても、緊急放送に支障が生じることはない。
【００９０】
なお、上記第４実施形態では、緊急放送対応受信装置１０の表示部７０において、緊急放送に支障を生じさせることなく、デジタルチューナー用電源を停止できる機器の台数及びその機器のメーカ名、製品型番等の上記情報が表示されたが、この構成に代えて、機器の台数は表示されることなく、機器のメーカ名、製品型番等の上記情報のみが表示される構成であってもよい。
【００９１】
上記第１〜第４実施形態は、緊急放送を受信可能なチューナーが搭載された機器（緊急放送対応受信装置）全般に広く適用可能であり、緊急放送対応受信装置１０としては、例えば、セットトップボックス（ＳＴＢ）、ＴＶ、プライベートレコーダ（ＰＶＲ）、ＤＶＤレコーダ、Ｂｌｕ−ｒａｙレコーダ、ＴＶチューナ付ＰＣに適用可能である。
【００９２】
上記実施形態では、以下の項が開示される。
【００９３】
（項１）
緊急放送を受信可能な緊急放送対応チューナー２０と、前記緊急放送対応チューナー２０への電源供給を制御する制御部６０と、表示部７０とを備えた緊急放送対応受信装置１０であって、前記表示部７０は、前記緊急放送対応受信装置１０を前記緊急放送が受信できない状態にしてよいか否かを表示し、前記制御部６０は、前記緊急放送対応受信装置１０を前記緊急放送が受信できない状態にしてよい旨の信号が入力されたときには、前記緊急放送対応チューナーへの電源供給を停止することを特徴とする緊急放送対応受信装置。
【００９４】
（項２）
緊急放送を受信可能な緊急放送対応チューナー２０と、前記緊急放送対応チューナー２０への電源供給を制御する制御部６０と、表示部７０とを備えた緊急放送対応受信装置１０であって、前記制御部６０は、前記緊急放送対応受信装置１０を前記緊急放送が受信できない状態にしてよい旨の信号が入力されたときには、前記緊急放送対応チューナー２０への電源供給を停止し、前記表示部７０は、前記緊急放送対応チューナー２０への電源供給が停止されたときには、前記緊急放送対応受信装置１０が前記緊急放送を受信できない状態である旨を表示することを特徴とする緊急放送対応受信装置。
【００９５】
項１又は項２によれば、ユーザが、緊急放送対応受信装置１０が緊急放送に対応していなくても問題がないと判断したときには、緊急放送対応受信装置１０において緊急放送に対応するための電源を停止できることとしたたため、消費電力の抑制効果が大きい。
【００９６】
（項３）
緊急放送を受信可能な緊急放送対応チューナー２０と、前記緊急放送対応チューナー２０への電源供給を制御する制御部６０と、外部機器１００と通信する通信部８０，９０とを備えた緊急放送対応受信装置１０であって、前記制御部６０は、前記通信部８０，９０による前記外部機器１００との通信の結果、前記緊急放送が受信できる状態にある前記外部機器１００があることが検出された場合であって、前記緊急放送対応受信装置１０を前記緊急放送が受信できない状態にしてよい旨の信号が入力されたときには、前記緊急放送対応チューナー２０への電源供給を停止することを特徴とする緊急放送対応受信装置。
【００９７】
（項４）
緊急放送を受信可能な緊急放送対応チューナー２０と、外部機器１００と通信する通信部８０，９０と、制御部６０とを備えた緊急放送対応受信装置１０であって、前記制御部６０は、前記通信部８０，９０による前記外部機器１００との通信の結果、前記緊急放送が受信できる状態にある前記外部機器１００があることが検出された場合であって、前記外部機器１００を前記緊急放送が受信できない状態にしてよい旨の信号が入力されたときには、前記外部機器１００に対して、前記外部機器１００が有する緊急放送を受信可能な緊急放送対応チューナー１２０への電源供給を停止させるための信号を出力することを特徴とする緊急放送対応受信装置。
【００９８】
項３又は項４によれば、ユーザは、緊急放送対応受信装置１０側において、緊急放送対応受信装置１０以外の外部機器１００で緊急放送を受信可能であることが確認された上で、緊急放送対応受信装置１０又は外部機器１００において緊急放送に対応するための電源を停止するか否かの判断ができる。これにより、緊急放送への対応に支障を生じさせること無く、大きな消費電力の抑制効果が得られる。
【００９９】
（項５）
緊急放送を受信可能な緊急放送対応チューナー２０と、外部機器１００と通信する通信部８０，９０と、表示部７０とを備えた緊急放送対応受信装置１０であって、前記表示部７０は、前記通信部８０，９０による前記外部機器１００との通信の結果として検出される前記緊急放送が受信できる状態にある前記外部機器１００の台数Ｍを表示することを特徴とする緊急放送対応受信装置。
【０１００】
項５によれば、緊急放送対応受信装置１０が他の機器１００との通信により、緊急放送対応チューナー１２０用電源を停止できる機器１００の台数Ｍを検出し、表示するため、ユーザは、緊急放送に支障を生じさせることなく、緊急放送対応チューナー１２０用電源を停止できる機器１００の台数Ｍを知ることができる。これにより、ユーザは、その表示された台数Ｍの機器１００の緊急放送対応チューナー１２０用電源を停止するという判断を行うことが可能となり、消費電力の大幅な削減に結びつけることができる。
【０１０１】
（項６）
緊急放送対応受信装置１０と、前記緊急放送対応受信装置１０と通信可能な外部機器１００とを備えた緊急放送対応受信システムであって、前記緊急放送対応受信装置１０及び前記外部機器１００のそれぞれは、緊急放送を受信可能な緊急放送対応チューナー２０，１２０を有し、前記緊急放送対応受信装置１０は、更に、前記緊急放送対応チューナー２０への電源供給を制御する制御部６０と、前記外部機器１００と通信可能な通信部８０，９０とを有し、前記制御部６０は、前記外部機器１００との通信の結果、前記緊急放送が受信できる状態にある前記外部機器１００があることが検出された場合であって、前記緊急放送対応受信装置１０を前記緊急放送が受信できない状態にしてよい旨の信号が入力されたときには、前記緊急放送対応チューナー２０への電源供給を停止することを特徴とする緊急放送対応受信システム。
【０１０２】
項６によれば、上記項３と同様に、ユーザは、緊急放送対応受信装置１０側において、緊急放送対応受信装置１０以外の外部機器１００で緊急放送を受信可能であることが確認された上で、緊急放送対応受信装置１０において緊急放送に対応するための電源を停止するか否かの判断ができる。これにより、緊急放送への対応に支障を生じさせること無く、大きな消費電力の抑制効果が得られる。
【０１０３】
（項７）
緊急放送対応受信装置１０と、前記緊急放送対応受信装置１０と通信可能な外部機器１００とを備えた緊急放送対応受信システムであって、前記緊急放送対応受信装置１０及び前記外部機器１００のそれぞれは、緊急放送を受信可能な緊急放送対応チューナー２０，１２０を有し、前記緊急放送対応受信装置１０は、更に、表示部７０と、前記外部機器１００と通信可能な通信部８０，９０とを有し、前記制御部６０は、前記外部機器１００との通信の結果として検出される前記緊急放送が受信できる状態にある前記外部機器１００の台数Ｍを表示することを特徴とする緊急放送対応受信システム。
【０１０４】
項７によれば、上記項５と同様に、ユーザは、緊急放送に支障を生じさせることなく、緊急放送対応チューナー１２０用電源を停止できる機器１００の台数Ｍを知ることができる。これにより、ユーザは、その表示された台数Ｍの機器１００の緊急放送対応チューナー１２０用電源を停止するという判断を行うことが可能となり、消費電力の大幅な削減に結びつけることができる。
【０１０５】
（項８）
緊急放送を受信可能な緊急放送対応チューナー２０を有する緊急放送対応受信装置１０を前記緊急放送が受信できない状態にしてよいか否かを表示するステップと、前記緊急放送対応受信装置１０を前記緊急放送が受信できない状態にしてよい旨の信号を受信するステップと、前記信号を受信したときに、前記緊急放送対応チューナー２０への電源供給を停止するステップとを備えたことを特徴とする緊急放送対応受信方法。
【０１０６】
（項９）
緊急放送を受信可能な緊急放送対応チューナー２０を有する緊急放送対応受信装置１０を前記緊急放送が受信できない状態にしてよいか否かを表示するステップと、前記緊急放送対応受信装置１０を前記緊急放送が受信できない状態にしてよい旨の信号を受信するステップと、前記信号を受信したときに、前記緊急放送対応チューナー２０への電源供給を停止するステップとをコンピュータに実行させるためのプログラム。
【０１０７】
項８又は項９によれば、上記項１と同様に、ユーザが、緊急放送対応受信装置１０が緊急放送に対応していなくても問題がないと判断したときには、緊急放送対応受信装置１０において緊急放送に対応するための電源を停止できることとしたたため、消費電力の抑制効果が大きい。
【図面の簡単な説明】
【０１０８】
【図１】本発明の緊急放送対応受信装置の第１実施形態の全体ブロック図である。
【図２】本発明の緊急放送対応受信装置の第１実施形態の動作を示すフローチャートである。
【図３】本発明の緊急放送対応受信装置の第２実施形態の動作を示すフローチャートである。
【図４】図３の動作の一部の具体例を示すフローチャートである。
【図５】本発明の緊急放送対応受信装置の第３実施形態の動作を示すフローチャートである。
【図６】本発明の緊急放送対応受信装置の第４実施形態の動作を示すフローチャートである。
【符号の説明】
【０１０９】
１０  緊急放送対応受信装置
２０  デジタルチューナー
２１  アンテナ
３０  デジタルチューナー用電源
４０  デコーダー
５０  他の回路用電源
６０  ＣＰＵ
６５  メモリ
７０  表示部
７５  操作部
８０  リモコン受光部
９０  他の機器とネットワークを構成するための端子又は通信手段
１００  他の機器
１２０  デジタルチューナー
２００  ＴＶ
３００  記録メディア
【図１】
2006128903.tif 000003
【図２】
2006128903.tif 000004
【図３】
2006128903.tif 000005
【図４】
2006128903.tif 000006
【図５】
2006128903.tif 000007
【図６】
2006128903.tif 000008